(57)【要約】【課題】本発明は、タブ下側の水をポンピングして上側から吐出させる循環装置の構造が改善された洗濯機を提供する。【解決手段】本発明は、洗濯機のタブの下側と連通し、前記タブ内の水をポンピングする循環モーターと、一端が前記循環モーターと連結し、ポンピングした水をガイドし循環するホースと、漏水を防止するガスケットを貫通するようにドアと前記タブの間に設けられ一端が前記循環ホースと連結するシリンダー型のコネクターと、ガスケットの下に設けられドラム内部に向い合う面とその左右面が完全に開放され前記シリンダー内で下方に吐き出された水を前記ドラム内部に分散して吐き出すノズルとを有する噴射装置と、を含む。【選択図】　図２
2004057821.tif 000002
【特許請求の範囲】
【請求項１】
洗濯機のタブの下側と連通し、前記タブ内の水をポンピングする循環モーターと、
一端が前記循環モーターと連結し、ポンピングした水をガイドし循環するホースと、
漏水を防止するガスケットを貫通するようにドアと前記タブの間に設けられ一端が前記循環ホースと連結するシリンダー型のコネクターと、ガスケットの下に設けられドラム内部に向い合う面とその左右面が完全に開放され前記シリンダー内で下方に吐き出された水を前記ドラム内部に分散して吐き出すノズルとを有する噴射装置と、
を含むことを特徴とする洗濯水の循環装置。
【請求項２】
前記コネクターの外面をホルド支持するように前記ガスケットの片面から延長される環状のリブを更に含むことを特徴とする請求項１記載の洗濯水の循環装置。
【請求項３】
前記コネクターは外周面から突出して前記コネクターがガスケットの下側に抜けることを防止する突起を更に含むことを特徴とする請求項１記載の洗濯水の循環装置。
【請求項４】
前記噴射装置は一体化して形成される事を特徴とする請求項１記載の洗濯水の循環装置。
【請求項５】
前記ノズルは、
前記コネクターの他端で前記ドラム側に延長された上部水平部と、
前記上部水平部の前記ドラムと見合わせる反対側から下側に延長された垂直部と、
前記垂直部の下端で前記ドラム側に延長された下部水平部と、
を含むことを特徴とする請求項４記載の洗濯水の循環装置。
【請求項６】
前記上部水平部の上面は前記ガスケットに密着して支持されることを特徴とする請求項５記載の洗濯水の循環装置。
【請求項７】
前記垂直部は中央部分が前記ドラム側に突出して形成される事を特徴とする請求項５記載の洗濯水の循環装置。
【請求項８】
前記下部水平部は中央部分が上方に突出して形成されることを特徴とする請求項５記載の洗濯水の循環装置。
【請求項９】
前記下部水平部は左右方向に沿って形成される案内溝を含むことを特徴とする請求項５記載の洗濯水の循環装置。
【請求項１０】
前記下部水平部はその上面が前記案内溝から前記ドラム側にいくほど下方に傾斜することを特徴とする請求項９記載の洗濯水の循環装置。
【請求項１１】
前記噴射装置は前記コネクターと前記ノズルが互いに異なる胴体からなることを特徴とする請求項１記載の洗濯水の循環装置。
【請求項１２】
前記コネクターは独立した一つの胴体からなり、前記ノズルは前記ガスケットから延長して形成されることを特徴とする請求項１１記載の洗濯水の循環装置。
【請求項１３】
前記ノズルは、
前記ガスケットの下面から下方に延長された垂直部と、
前記垂直部の下端から前記ドラム側に延長された下部水平部と
を含むことを特徴とする請求項１２記載の洗濯水の循環装置。
【請求項１４】
前記垂直部は中央部分が前記ドラム側に突出して形成されることを特徴とする請求項１３記載の洗濯水の循環装置。
【請求項１５】
前記下部水平部は中央部分が上方に突出して形成されることを特徴とする請求項１３記載の洗濯水の循環装置。
【請求項１６】
前記下部水平部は左右方向に沿って形成される案内溝を含むことを特徴とする請求項１３記載の洗濯水の循環装置。
【請求項１７】
前記下部水平部はその上面が前記案内溝から前記ドラム側にいくほど下方に傾斜したことを特徴とする請求項１６記載の洗濯水の循環装置。
【請求項１８】
ケースと、
前記ケース内に提供され内部に水が貯蔵されるアウタータブと、
前記タブ内に回転自在に提供され前記タブの内部空間と連通する多数のホールを有するインナータブと、
前記アウタータブの下側と連通し、前記アウタータブ内の水をポンピングする循環モーターと、
一端が前記循環モーターに連結され、ポンピングされた水を案内する循環ホースと、
漏水を防止するガスケットを貫通するようにドアと前記アウタータブとの間に設けられ片端が前記循環ホースと連結するシリンダー型のコネクターと、前記ガスケットの下に設けられ前記インナータブ内部と見合わせる面とその左右面が完全に開放され前記シリンダーから下方に吐き出された水を前記インナータブ内部に分散して吐き出すノズルとを有する噴射装置と、
を含むことを特徴とする洗濯機。
【請求項１９】
前記ノズルは、
前記コネクターの他端から前記ドラム側に延長された上部水平部と、
前記上部水平部の前記ドラムと見合わせる反対側から下側に延長された垂直部と、
前記垂直部の下端から前記ドラム側に延長された下部水平部と、
を含むことを特徴とする請求項１８記載の洗濯機。
【請求項２０】
前記垂直部は中央部分が前記ドラム側に突出して形成され、前記下部水平部は中央部分が上方に突出して形成されることを特徴とする請求項１９記載の洗濯機。
【請求項２１】
前記下部水平部は左右方向に沿って形成される案内溝を含み、前記下部水平部はその上面が前記案内溝から前記ドラム側にいくほど下方に傾斜することを特徴とする請求項１８記載の洗濯機。
【請求項２２】
前記ノズルは、
前記ガスケットの下面から下方に延長された垂直部と、
前記垂直部の下端から前記ドラム側に延長された下部水平部と
を含むことを特徴とする請求項１８記載の洗濯機。
【請求項２３】
前記垂直部は中央部分が前記ドラム側に突出して形成され、前記下部水平部は中央部分が上方に突出して形成されることを特徴とする請求項２２記載の洗濯機。
【請求項２４】
前記下部水平部は左右方向に沿って形成される案内溝を含み、前記下部水平部はその上面が前記案内溝から前記ドラム側にいくほど下方に傾斜したことを特徴とする請求項１８記載の洗濯機。
【発明の詳細な説明】
【０００１】
【発明の属する技術分野】
本発明は、洗濯機に関するもので、特に、タブ下側の水をポンピングして上側から吐き出す循環装置の構造が改善された洗濯機に関するものである。
【０００２】
【従来の技術】
一般に、洗濯機は洗剤と水の作用を用いて洗濯物に付着している汚れを落とす機器である。
かかる洗濯機は、一般的にアジテータタイプとパルセータタイプ及びドラムタイプの洗濯機とに区分される。アジテータタイプはタブの中央で尖っている洗濯棒を左右に回転させて洗濯し、パルセータタイプは洗濯槽の下部に形成された円板状のパルセータを左右に回転させて生じる水流と洗濯物間の摩擦力を用いて洗濯する。また、ドラムタイプは内面に複数のタンブリングリブが突出したドラムの内部に水と洗剤及び洗濯物を入れてドラムを低速で回転させて洗濯する。
【０００３】
最近は前記アジテータタイプ、パルセータタイプ及びドラムタイプの洗濯機の洗濯力を高めるために多様な補助的な装置などが付加して備えられ、その一例として、洗濯水の循環装置が挙げられる。前記洗濯水の循環装置はドラム又は洗濯槽内に収容された洗濯対象物が水と洗剤に速やかに浸るようにし、水流による摩擦力を増大させて洗剤力を高める役割を果たす。
【０００４】
かかる洗濯水の循環装置はタブの内部下側空間にある水をポンピングして上側でドラム又は洗濯槽の内部空間に吐き出すように構成される。かかる洗濯水の循環装置は一般的にポンピングされた水を前記ドラム又は洗濯槽内部の空間に噴射するための小さい噴射孔を有する。
【０００５】
ところが、前記タブ内の水には糸くず（ｌｉｎｔ）などの異物が相当量存在し、これらもやはり洗濯水の循環装置を介して前記タブ内の水と共にポンピングされた後、前記噴射孔を介して噴射される。従って、洗濯機を長時間用いると、前記異物により前記噴射孔が塞がるという問題が発生する。
【０００６】
また、前記洗濯水の循環装置を介してポンピングされた後噴射される水は一般的に片側方向にだけ噴射されるので、前記ドラム又は洗濯槽に収容された洗濯対象物にポンピングされた水を均一に噴射することができない。
これによって、前記洗濯対象物を全体的に速やかに浸せることができず、高い洗剤力の向上を期待しにくい。
【０００７】
【発明が解決しようとする課題】
本発明は、上記関連技術の問題点を解決するためのもので、その目的は、糸くずによる塞がりを発生しないように改善された構造を有する洗濯水の循環装置を提供することが目的である。
【０００８】
また、本発明の他の目的は、ドラム内の多様な方法で水を噴射できるように構造が改善された洗濯水の循環装置を提供するものである。
【０００９】
【課題を解決するための手段】
上記目的を達成するための本発明による洗濯水の循環装置は、洗濯機のタブの下側と連通し、前記タブ内の水をポンピングする循環モーターと、一端が前記循環モーターと連結し、ポンピングした水をガイドし循環するホースと、漏水を防止するガスケットを貫通するようにドアと前記タブの間に設けられ一端が前記循環ホースと連結するシリンダー型のコネクターと、ガスケットの下に設けられドラム内部に向い合う面とその左右面が完全に開放され前記シリンダー内で下方に吐き出された水を前記ドラム内部に分散して吐き出すノズルとを有する噴射装置と、を含むことを特徴とする。
【００１０】
前記コネクターの外面をホルド支持するように前記ガスケットの片面から延長される環状のリブを更に含むように構成しても良い。
【００１１】
前記コネクターは外周面から突出して前記コネクターがガスケットの下側に抜けることを防止する突起を更に含んでいても良い。この場合、前記噴射装置は一体化して形成される。前記ノズルは、前記コネクターの他端で前記ドラム側に延長された上部水平部と、前記上部水平部の前記ドラムと見合わせる反対側から下側に延長された垂直部と、前記垂直部の下端で前記ドラム側に延長された下部水平部とを含んでいても良い。前記上部水平部の上面は前記ガスケットに密着して支持されていても良い。前記垂直部は中央部分が前記ドラム側に突出して形成されても良い。前記下部水平部は中央部分が上方に突出して形成されても良い。前記下部水平部は左右方向に沿って形成される案内溝を含んでいても良い。
前記下部水平部はその上面が前記案内溝から前記ドラム側にいくほど下方に傾斜しても良い。
【００１２】
なお、本発明による洗濯水の循環装置において、前記噴射装置は前記コネクターと前記ノズルが互いに異なる胴体からなっていても良い。前記コネクターは独立した一つの胴体からなり、前記ノズルは前記ガスケットから延長して形成されても良い。前記ノズルは、前記ガスケットの下面から下方に延長された垂直部と、前記垂直部の下端から前記ドラム側に延長された下部水平部とを含んでいても良い。前記垂直部は中央部分が前記ドラム側に突出して形成されても良い。前記下部水平部は中央部分が上方に突出して形成されても良い。
前記下部水平部は左右方向に沿って形成される案内溝を含んでいても良い。前記下部水平部はその上面が前記案内溝から前記ドラム側にいくほど下方に傾斜しても良い。
【００１３】
なお、本発明では、本発明による他の洗濯水の循環装置が装着される。前記洗濯機は、ケースと、前記ケース内に提供され内部に水が貯蔵されるアウタータブと、前記タブ内に回転自在に提供され前記タブの内部空間と連通する多数のホールを有するインナータブと、前記アウタータブの下側と連通し、前記アウタータブ内の水をポンピングする循環モーターと、一端が前記循環モーターに連結され、ポンピングされた水を案内する循環ホースと、漏水を防止するガスケットを貫通するようにドアと前記アウタータブとの間に設けられ片端が前記循環ホースと連結するシリンダー型のコネクターと、前記ガスケットの下に設けられ前記インナータブ内部と見合わせる面とその左右面が完全に開放され前記シリンダーから下方に吐き出された水を前記インナータブ内部に分散して吐き出すノズルと、を有することを特徴とする。
【００１４】
【発明の実施の形態】
以下、添付の図面を参照して本発明を更に詳細に説明する。
図１は本発明による洗濯機の一部切開斜視図であり、図２は本発明による洗濯機の断面図である。図１及び図２にはケース内に設けられるアウタータブと前記アウタータブ内に回転自在に設けられるインナータブが水平方向に設けられたドラム洗濯機が例示的に示されている。しかしながら、本発明による洗濯機は示したドラム洗濯機に限らず、前記アウタータブとインナータブが垂直方向に設けられたパルセータ洗濯機などにも同一に適用され得る。
【００１５】
以下、これらの図面を参照して本発明による洗濯機の構成についてより詳しく説明する。説明の便宜のために以下では前記アウタータブをタブと称し、前記インナータブをドラムと称する。
図１及び図２を参照すると、洗濯機のケース２はベース４、キャビネット６、また、トッププレート８を含む。
前記ベース４は前記ケース２の底面を成し、その上面には後面に述べるタブ１０を支持するダンパ４ａが装着される。
【００１６】
前記キャビネット６は前記タブ１０が設けられる空間が内部に形成されるように前記ベース４の上側に立てられる。前記キャビネット６の内面には前記タブ１０が吊られて支持されるスプリング６ａが連結される。また、前記キャビネット６の何れかの一方には例えば、前面には洗濯物（ｍ）を投入し引き出すことができる投入ホール７ａが形成される。また、前記キャビネット６前面内側の上部と下部には図２に示すように、上方フレーム９ａと下方フレーム９ｂがそれぞれ水平に配置される。
【００１７】
ドア４０は前記投入ホール７ａを開閉するように前記キャビネット６の全面に設けられる。かかるドア４０はドアフレーム４２とドアガラス４４を含み、前記ドアフレーム４２は前記キャビネット６の全面にヒンジ４１に連結され、その中央にはホールが形成される。前記ホールには前記ドアガラス４４が装着される。
【００１８】
前記トッププレート８は前記キャビネット６の開放された上側に載せられて前記キャビネット６とベース４により形成された内部空間を密閉する。かかるトッププレート８の上部片側には洗濯機を操作するためのコントロールパネル８ａが装着される。
【００１９】
前記ケース２の内部空間には前記タブ１０が提供される。かかるタブ１０は前記したようにスプリング６ａとダンパ４ａによって前記内部空間中間に位置した状態で支持される。前記タブ１０は開放された前面が前記キャビネット６の投入ホール７ａと向い合うように設けられる。このように設けられたタブ１０の内には水が供給されて貯蔵される。
【００２０】
前記タブの内部空間にはドラム２０が回転自在に設けられる。このために、モーター２８が前記ドラム２０を回転させるように前記キャビネット６の内に設けられる。図２には前記モーター２８の軸がドラム２０に直結された実施例が図示されている。この場合、前記軸は前記タブ１０を貫通する。尚、図示してはいないが、前記モーター２８は前記ドラム２０を間接的に回転させることもできるだろう。この場合前記ドラム２０とモーター２８は例えば、ベルトによって連結可能である。
【００２１】
前記ドラム２０には、複数の水孔２１が形成される。従って、前記タブ１０内に貯蔵された水が前記水孔２１を介して前記ドラム２０の内部空間に出入り可能になる。また、前記ドラム２０の内周面には図１及び図２に示すように、複数のタンブリングリブ２２が突出する。前記タンブリングリブ２２は前記ドラム２０の回転時に洗濯物を上側に上下することになる。
【００２２】
前記ドア４０とタブ１０との間には図２に示すように、ガスケット３０が設けられる。前記ガスケット３０は前記ドラム２０がタブ１０内にある水と洗濯物がタブ１０の外部に漏洩して前記キャビネット６の内部空間に流れ込むことを防止する。尚、前記ガスケット３０の上部には後に述べる噴射装置７０を挿入して装着できるように挿入ホール３１が形成される。また、前記挿入口３１の上側に環状のリブが前記ガスケット３０から延長される。
【００２３】
前記タブ１０の下側にはドレイン１５が形成され、前記ドレイン１５には排水ベローズ管５１が連結される。前記排水ベローズ管５１には前記タブ１０で前記ドレイン１５と排水ベローズ５１を介して流れ込んだ水をポンピングして外部に排出するか、前記ドラム２０の内部に更に循環させるポンプユニット５０が連結される。
【００２４】
前記ポンプユニット５０はポンプケース５２、循環ポンプ、また、排水ポンプ５４を含めてなる。前記ポンプケース２には前記ドレイン１５と排水ベローズ管５１を経由した水が流れ込む。また、前記排水ポンプ５４には外部と連通する排水ホース５５が連結され、洗濯機の排水プロセス時に前記ポンプケース５２に流れ込んだ水を前記排水ホース５５を介して外部に排出する。また、前記循環ポンプ５３には循環ホース６０が連結され、前記循環ホース６０は図２に示すように、その一端が前記ガスケット３０の上側に隣接するように配置される。従って、循環ポンプ５３は洗濯機の洗濯、及びすすぎプロセス時に前記ポンプケース２に流れ込んだ水を前記循環ホース６０側に通過させる。
【００２５】
前記図面のうち、未説明符号８１は外部の綺麗な水を洗濯機に供給する給水ホースであり、符号８２は洗剤桶である。前記洗剤桶８２は前記給水ホース８１から供給された水を予め貯蔵された洗剤と混合する役割を果たす。また、未説明符号８３は前記洗剤桶８２から排出される水を前記タブ１０の内部に案内する給水ベローズ管である。
【００２６】
尚、前記ガスケット３０の挿入ホール３１とリブ３２には噴射装置７０が挿入されて装着される。前記噴射装置７０の一端は前記循環ホース６０と連結し、他端は前記ガスケット３０を貫通した後に前記ガスケット３０の下側に位置する。このように設けられる噴射装置７０は前記循環ホース６０を経由した水を前記ドラム２０の内側空間に分散させて吐き出すことになり、以下、その構成について図面を参照して詳しく説明する。
【００２７】
図３は本発明による洗濯機の洗濯水の噴射装置の一実施例を示した部分断面図であり、図４は図３のシャワーコネクターの正面図であり、図５は図３のシャワーコネクターの斜視図である。
【００２８】
図３を参照すると、前記噴射装置７０は前記循環ホース６０と連結されるシリンダー型のコネクター７２、また、前記ガスケット３０の下側に位置し、前記コネクター７２から下方に吐き出された水を前記ドラム２０の内部空間に分散させて排出するノズル７４を含めてなる。図３ないし図５に示す実施例では、前記コネクター７２とノズル７４が一つの本体に連続して形成されて前記ガスケット３０に装着される。
【００２９】
前記コネクター７２は図３に示すように、その一端が前記循環ホース６０の段部と連結し、他端側が前記ガスケット３０の挿入ホール３１とリブ３２に挿入されて装着される。ここで、前記リブ３２は前記コネクター７２の外面をホルドして安定的に支持させる。
【００３０】
尚、前記コネクター７２の外周面には図３に示すように、環状の突起７３が突出する。前記突起７３は前記リブ３２の上端に支持される。従って、前記挿入ホール３１にコネクター７２が自重と水の流動または外部振動によってガスケット３０の下側に抜けることが防止される。このように構成されたコネクター７２は前記ガスケット３０の下側で上方に前記挿入ホール３１を介して押入れて設けられる。
【００３１】
前記ノズル７４は前記ガスケット３０の下に提供され、ドラム２０の内部と見合わせる面とその左右面が完全に開放される。このように形成されたノズル７４は前記コネクター７２から下側に吐き出された水を開放されたドラム２０の内部と見合わせる面とその左右面を介してドラム２０内部に分散させて吐き出される。以下、説明の便宜のためにドラム２０がある側をノズル７４の後方に称し、ドア４０のある側をノズル７４の前方と称する。
【００３２】
前記ノズル７４は、上部水平部７５、垂直部７６、また、下部水平部７７を含む。前記上部水平部７５は図３に示すように、コネクター７２の他端から広く延長される。かかる上部水平部７５は例えば、ドラム側に延長され、その上面は前記ガスケット３０の下面と密着する。
【００３３】
前記垂直部７６は前記上部水平部の前方、即ち、前記ドラム２０と見合わせる側の反対側から下側に所定の長さで延長される。
また、前記下部水平部７７は前記垂直部の下端から後方即ち、前記ドラム２０側に延長される。従って、図３及び図５に示すように、前記上部水平部７５と下部水平部７７は所定距離離隔した状態で平行に配置される。また、前記した構造によってノズル７４の後方、即ち、ドラム２０と向い合う方向とその左右方向は全て完全に開放される。
【００３４】
尚、前記のように構成したノズル７４から前記垂直部７６は図３及び図５に示すように、中央部分が左右両側部分について前方に、即ち、前記ドラム２０の側に突出して形成される。前記垂直部７６がこのように形成されると、前記コネクター７２から下方に落下した後前記下部水平部から飛ばした水を左右両方に容易に分散させることができる。
【００３５】
また、前記下部水平部７７は図３及び図４に示すように、中央部分がその左右両側部分について上方に即ち、コネクター７２側に突出して形成される。そうすると、前記コネクター７２から下方に落下した水を前記下部水平部７７の両方向に容易に分散させることができる。
【００３６】
また、前記下部水平部７７には案内溝７８が形成される。前記案内溝７８は図３及び図５に示すように、前記下部水平部７７と前記垂直部７６が連結される部分に隣接して提供される。このように下部水平部７７に案内溝７８が提供されると、前記コネクター７２から下方に落下した水の一定量を確保して前記下部水平部７７の左右方向に分散させることができる。
【００３７】
前記下部水平部７７の上面は図３及び図４に示すように、前記案内溝７８から前記ドラム２０側にいくほど傾斜して形成される。前記下部水平部７７がこのように形成されると、前記コネクター７２を介して落下した水の一部が前記ノズル７４の開放された前方に容易に吐き出される。
【００３８】
尚、本発明は図６に示すように、コネクターとノズルが互いに異なる本体からなる実施例も共に開示する。図６は本発明による洗濯機の洗濯水の噴射装置の他の実施例を示す部分断面図である。
以下、図６を参照して前記噴射装置の他の実施例についてより詳しく説明する。本発明の実施例を説明するにおいて、図３乃至図５で説明した実施例と同一の構成については同一名称及び同一符号が用いられる。
【００３９】
図６に示すように、噴射装置７０を成すコネクター７２とノズル７４は互いに異なる本体からなる。前記コネクター７２は独立した一つの本体からなる。また、前記ノズル７４は前記ガスケット３０から下方に延長されて形成される。
前記コネクター７２は図６に示すように、シリコン形状に形成され、その外周面にはコネクター７２が前記ガスケット３０の挿入ホール３１とリブ３２で下側に離脱することを防止するための突起７３が形成される。このように形成されたコネクター７２は前記ガスケット３０の下側から上側に前記挿入ホール３１とリブ３２を貫通するように装着し、その一端が前記循環ホース６０の一端と連結される。
【００４０】
前記ノズル７４は垂直部７６と下部水平部７７を含む。前記垂直部７６は前記ガスケット３０の下面から下方に延長される。また、前記下部水平部７７は前記垂直部７６の下端から後方に即ち、前記ドラム２０の内側に延長される。
【００４１】
図６に示すように、実施例のノズル７４やはり前記図３ないし図５で説明して実施例と同一にその後方と左右が完全に開放された形状を有する。また、前記垂直部７６と下部水平部７７また前記図３乃至図５で説明した実施例と同一構造を有し、以下では重複する説明を避けるためにこの説明は省略される。
【００４２】
前記したように図６に示すように、本発明による噴射装置７０はコネクター７２とノズル７４が図３乃至図５で説明した実施例とは異なり、互いに異なる本体からなる特徴を有する。また、更に単純な構造を提供できるように前記ノズル７４はガスケット３０の下面から連続して延長されて形成される構造を有する特徴がある。
【００４３】
以下本発明による洗濯機と洗濯水の循環装置の作動過程について説明する。
前記ドア４０を開いて前記ドラム２０の内部に洗濯物（ｍ）を投入する。
ドア４０を閉じて洗濯機を可動すると、給水ホース８１を介して外部の水が洗剤桶８２に流れ込む。洗剤桶８２では、予め用意した洗剤が供給された水に溶解され、洗剤が溶解した水は給水ベローズ８３を介してタブ１０内に供給される。
【００４４】
前記タブ１０内に一定量の水を供給すると、モーター２８によりドラム２０が回転する。タブ１０に貯蔵された水はもちろん、水孔２１を介してドラム２０内に流れ込む。ドラム２０が回転すると、洗濯物（ｍ）はタンブリングリブ３２により上下した後落下する。従って、洗剤の化学作用、タンブリングリブ３２により落下する時の衝撃エネルギー、また、ドラム２０の回転時発生する水流による摩擦力によって汚染物質が洗濯物（ｍ）から分離されて洗濯が行われる。
【００４５】
尚、ドラム２０が回転しながら、洗濯過程を行う間前記循環ポンプ５３が作動する。循環ポンプ５３は前記タブ１０の下側のドレイン１５と排水ベローズ管５１を介してポンプケース５２に流れ込んだタブ１０内の水を循環ホース６０にポンピングする。
【００４６】
ポンピングされた水は循環ホース６０を経由した後噴射装置７０のコネクター７２に流れ込む。また、コネクター７２を介して前記ノズル７４の下部水平部７７に落下する。この時前記ノズル７４の後方と左右方向は全て完全に開放されている。従って、水は垂直部７６と案内溝７８及び下部水平部７７の案内によって左右方向と後方に均一に分散されてドラム２０内に吐き出される。
【００４７】
このように均一に分散されて吐き出された水は洗濯過程の初期にドラム２０内に収容された洗濯物（ｍ）を速やかに浸すことになる。また、洗濯が進行する間水の落下による摩擦及び衝撃エネルギーは洗濯物（ｍ）に均一に伝えられて均一な洗濯能力が得られる。
一定時間の間ドラム２０が回転しながら、洗濯を行った後にはドラム２０と循環ポンプ５３が停止する。また、洗濯後に汚染された水は外部に排水される。
かかる排水過程の時には前記排水ポンプ５４が可動し、タブ１０内の汚染された水は排水ホース５５を介して外部に排出される。
【００４８】
排水済みの後には排水ポンプ５４が停止し、前記給水ホース８１を介して新しい水がタブ１０内に供給され、ドラム２０が回転してすすぎ過程が行われる。すすぎ過程の間ドラム２０が回転し、循環ポンプ５３が作動しながら前記洗濯過程と類似な過程を介してすすぎを行う。
【００４９】
すすぎと排水を繰り返して洗濯が完了すると洗濯物は高速で回転するドラム２０内で脱水される。尚、洗濯機にヒーターとブロワなどが備えられると脱水済みの洗濯物を熱風を用いて完全に乾燥させる。
【００５０】
【発明の効果】
以上説明したように、本発明の洗濯機によると、次のような効果がある。
第一に、本発明による洗濯機を用いると、糸くずによって洗濯水の循環流路がふさがることを防止する。即ち、本発明において循環する洗濯水を吐き出すノズル７４は小さい孔を有した従来構造とは異なり後方と左右方向が全て完全に開放された形状を有しているので長期間洗濯機を使用しても糸くずによってノズル７４が塞がることを根本的に防止できる。
【００５１】
第二に、本発明による洗濯機を用いると、洗濯性能を向上させることができ、全ての洗濯物において均一な洗濯結果が得られる。即ち、循環ホース６０を経由した洗濯水がノズル７４から後方と左右方向に均一に分散されてドラム２０内に吐き出されるので洗濯初期に洗濯物を速やかに浸すことができ、これによって実質的に洗濯が行われる時間が長くなって洗濯性能が向上する効果が得られる。また、長時間ノズル７４から落下する水によるエネルギーが洗濯物に均一に伝達されるので全ての洗濯物において均一な洗濯結果が得られる。
【００５２】
以上本発明の好適な一実施態様について説明したが、前記実施態様に限定されず、本発明の技術思想に基づいて種々の変形が可能である。
【図面の簡単な説明】
【図１】本発明による洗濯機の一部切開斜視図である。
【図２】本発明による洗濯機の断面図である。
【図３】本発明による洗濯水の噴射装置の一実施例を示す部分断面図である。
【図４】図３の噴射装置の正面図である。
【図５】図３の噴射装置の斜視図である。
【図６】本発明による洗濯機の洗濯水の噴射装置の他の実施例を示す部分断面図である。
【符号の説明】
２　ケース
１０　タブ
２０　ドラム
３０　ガスケット
３１　挿入ホール
３２　リブ
４０　ドア
５０　ポンプユニット
５３　循環ポンプ
５４　排水ポンプ
６０　循環ホース
７０　噴射装置
７２　コネクター
７３　突起
７４　ノズル
７５　上部水平部
７６　垂直部
７７　下部水平部
７８　案内溝
【図１】
2004057821.tif 000003
【図２】
2004057821.tif 000004
【図３】
2004057821.tif 000005
【図４】
2004057821.tif 000006
【図５】
2004057821.tif 000007
【図６】
2004057821.tif 000008